(57)【要約】【課題】本発明は、封かんシールの切断に関して、封かんシールの貼る位置や向きを正確に合わせなくとも切断可能であり、開封時以外は、封かんシールに加わる力では切断されにくく、開封時は、ナイフなどの道具を用いずに簡単に切断が可能な封かんシールを提供することを目的とする。【解決手段】容器を封かんする目的で使用する，片面の少なくとも一部に粘着層を有する封かんシール１において、該封かんシール１の基材となるフィルム２の縁から中心に向かって３ｍｍ以上離れた部分であって、該フィルムの中心部から略円形の範囲内に封かんシールの切断の契機となる複数の切れ込み３を均一に形成することを特徴とする、封かんシールを簡単に切断する方法である。【選択図】図１
2015022193.tif 000002
【特許請求の範囲】
【請求項１】
容器を封かんする目的で使用する，片面の少なくとも一部に粘着層を有する封かんシールにおいて、該封かんシールの基材となるフィルムの縁から中心に向かって３ｍｍ以上離れた部分であって、該フィルムの中心部から略円形の範囲内に封かんシールの切断の契機となる複数の切れ込みを均一に形成することを特徴とする、封かんシールを簡単に切断する方法。
【請求項２】
容器を封かんする目的で使用する，片面の少なくとも一部に粘着層を有する封かんシールにおいて、該封かんシールの基材となるフィルムの縁から中心に向かって３ｍｍ以上離れた部分であって、該フィルムの中心部から略円形の範囲内に複数の切れ込みが均一に形成された該フィルムを備えることを特徴とする、簡単に切断できる封かんシール。
【請求項３】
容器を封かんする目的で使用する，片面の少なくとも一部に粘着層を有する封かんシールにおいて、該封かんシールの基材となるフィルムの縁から中心に向かって３ｍｍ以上離れた部分であって、該フィルムの中心部から略円形の範囲内に複数の切れ込みが均一に形成された該フィルムと、該フィルムの切れ込みが形成された部分を覆うように貼ってある片面の一部に粘着層を有するシールを備えることを特徴とする、重ね貼りした簡単に切断できる封かんシール。
【発明の詳細な説明】
【技術分野】
【０００１】
本発明は、容器や箱を封かんする目的で使用される封かんシールの中央付近に多数の切れ込みが形成された、切断容易性を有する「簡単に切断できる封かんシール」に関するものである。
【背景技術】
【０００２】
従来から、封かんシールを用いて封かんされた箱や容器の開封は、封かんシールを剥がすか、ナイフなどの道具を用い封かんシールを切断することで行われてきた。しかし、封かんシールは粘着力が強く剥がすことが容易ではなく、道具を用いる場合もナイフなどが常に手元にあるとは限らず、封かんシールの開封は煩雑であった。
このような事態を回避する目的で、「易切断性封じシール」が開示されている。
【０００３】
特許文献１に記載された「易切断性封じシール」は、封かんシールを簡単に切断する目的で、切断したい方向に複数本のミシン目が平行状態に形成されたもので、封かんシールの切断はこのミシン目を利用して行う。
【先行技術文献】
【特許文献】
【０００４】
【特許文献１】実登３０４７９３２号公報
【発明の概要】
【発明が解決しようとする課題】
【０００５】
封かんシールは、容器の封かんを維持するために粘着力が強く、切断しにくい素材でできているため、ナイフなどの道具を利用しないと切断しにくい。
特許文献１の「易切断性封じシール」は、ミシン目がシールの縁近くまで形成されているために、台紙から剥がす時や容器に貼る際に、ミシン目のある縁部に力が加わると切れやすい欠点を有する。さらに、ミシン目部分が容器に粘着してしまうとミシン目部分での切断ができなくなるため、容器と蓋の合わせ目部分に「易切断性封じシール」のミシン目を正確に合わせなければならない課題があった。
【０００６】
本発明は、前記従来の技術の課題を解決するもので、封かんシールの切断に関して、封かんシールの貼る位置や向きを正確に合わせなくとも切断可能であり、開封時以外は、封かんシールに加わる力では切断されにくく、開封時は、ナイフなどの道具を用いずに簡単に切断が可能な封かんシールを提供することを目的とする。
【課題を解決するための手段】
【０００７】
上記目的を達成するため、請求項１記載の封かんシールを簡単に切断する方法は、
容器を封かんする目的で使用する，片面の少なくとも一部に粘着層を有する封かんシールにおいて、該封かんシールの基材となるフィルムの縁から中心に向かって３ｍｍ以上離れた部分であって、該フィルムの中心部から略円形の範囲内に封かんシールの切断の契機となる複数の切れ込みを均一に形成することを特徴とする方法である。
なお、前記切れ込みには、直線の切れ込みだけでなく、ジグザグや不定形の切れ込み、穴や傷を含む。前記切れ込みが縁から中心に向かって３ｍｍ以上離れた場所に形成される理由は、封かんシールを台紙から剥ぐときや貼りつける際に封かんシールの縁に力がかかるため、切れ込みが縁に近いほど歪みやすくなり裂けやすくなる。このため切れ込みを縁から少なくとも３ｍｍ以上離すことが必要になる。
切れ込みを均一に形成するとは、略円形の範囲内に万遍なく形成することである。
【０００８】
請求項２記載の簡単に切断できる封かんシールは、容器を封かんする目的で使用する，片面の少なくとも一部に粘着層を有する封かんシールにおいて、該封かんシールの基材となるフィルムの縁から中心に向かって３ｍｍ以上離れた部分であって、該フィルムの中心部から略円形の範囲内に複数の切れ込みが均一に形成された該フィルムを備えることを特徴とするものである。
なお、前記切れ込みには、直線の切れ込みだけでなく、ジグザグや不定形の切れ込み、穴や傷を含む。
【０００９】
請求項３の記載の重ね貼りした簡単に切断できる封かんシールは、容器を封かんする目的で使用する，片面の少なくとも一部に粘着層を有する封かんシールにおいて、該封かんシールの基材となるフィルムの縁から中心に向かって３ｍｍ以上離れた部分であって、該フィルムの中心部から略円形の範囲内に複数の切れ込みが均一に形成された該フィルムと、該フィルムの切れ込みが形成された部分を覆うように貼ってある片面の一部に粘着層を有するシールを備えることを特徴とするものである。
【発明の効果】
【００１０】
本発明の封かんシールの切断方法は、封かんシールの基材となるフィルムに切れ込みなどがあると裂けやすくなる特性を利用したものである。
このため、ミシン目のように多数の切れ込みを繋げて切断するものではなく、たった一つの切れ込みでも封かんシールの切断の契機となる。しかし、封かんシールの切れ込み部分が蓋や側面に粘着していると力が加わっても切れ込みが変形しないため切断できない。箱と蓋の合わせ目に対向する封かんシールの部分は、箱と蓋に粘着していないか、力を加えると剥げる程度に弱く粘着しているので、この部分に形成された切れ込みは切断の契機となる。
本発明の簡単に切断できる封かんシールは、封かんシールの中心から略円形の範囲内に切れ込みを均一に形成しているので、封かんシールの貼りつける向きに関係なく、この合わせ目に対向する粘着シールの部分にいずれかの切れ込みが位置することができる。
【００１１】
この合わせ目に対向する封かんシールの部分に爪などで上から局部的な力を加えると、近くにある切れ込みが歪むために切れ込みが伸長する。もしくは、隣り合う切れ込みが近い場合は繋がって大きな切れ込みになる。次いで、箱と蓋の合わせ目に沿って爪を動かすと、切れ込みも合わせ目に沿って伸長し、封かんシールを切断することができる。このように本願では道具を使用せずに、かつ、封かんシールの貼りつける位置や向きに注意して使用しなくとも簡単に封かんシールを切断できる。
さらに、本願は、開封時以外の取り扱い時に最も力が加わりやすい封かんシールの縁やその近くには、切れ込みが形成されないため、箱と蓋に封かんシールを張る作業中や台紙からシールを剥がす時などにも切れることはないので、作業が効率的になる。
【００１２】
請求項３の重ね貼りした封かんシールは、開封時以外は切断されないように、請求項２の封かんシールの上に別のシールを貼った、重ね貼りした封かんシールである。本願の簡単に切断できる封かんシールは、切れ込みがあると裂けやすいフィルムの性質を利用したものであるため、蓋と本体の合わせ目に位置する切れ込みに局部的な力が加わると簡単に切断する。合わせ目はほぼ直線で面積をあまり持たないため、偶然の力で切断する可能性は低いが、否定はできない。
どのような場合でも封かんシールの切断を防止するために、切れ込みを持つ封かんシールの上に別のシールを重ねて張れば、切れ込みが上に貼ったシールに固定されるため、力が加わっても切れ込みが歪まずに伸長しない。また、切れ込みの上に貼ったシールが粘着層を持たない場合でも、上から加わる局部的な力が上に貼ったシールで分散してしまうために切れ込みに十分な力が加わらず切断しない。
【００１３】
このように上から貼るシールは弱い粘着力でも十分役割を果たすことができるため、利用者は上に貼ってあるシールを剥がしたあとで、蓋と本体を固定している封かんシールの蓋と本体の合わせ目付近を上から爪で押しながら、合わせ目に沿って動かすと切れ込みが伸長し封かんシールを切断できる。上に貼ったシールは、開封時以外の封かんシールの切断を防ぐのみならず、利用者は封かんシールの上に貼ったシールの状況により封かんの有無が確認できるので、医薬品などの安全性確保にも寄与できる。
【図面の簡単な説明】
【００１４】
【図１】実施例１の簡単に切断できる封かんシールの平面図である。
【図２】実施例１を用いて封かんする箱の斜視図である。
【図３】実施例１の使用状態の図である。
【図４】実施例２における簡単に切断できる封かんシールの平面図である。
【図５】実施例３の重ね貼りした簡単に切断できる封かんシールの平面図である。
【図６】実施例３の使用状態の図である。
【実施例】
【００１５】
以下の各実施例における数値は、特に断りがない限り、例としての数値であり、これらの数値によって本願の発明が制限されるものではない。また、以下の実施例の封かんシールの基材であるフィルムは、一般的に封かんシールで用いられるポリプロピレンやアセテートなどの合成樹脂やセロハンでできた切れ込みがあると裂けやすいフィルムを用いる。
【００１６】
（実施例１）
本発明の実施例１にかかる簡単に切断できる封かんシールについて、図１、図２、図３を用いて説明する。また、封かんシールを簡単に切断できる方法について、実施例１の作用で説明する。
図１は、実施例１における簡単に切断できる封かんシールの平面図である。１は簡単に切断できる封かんシール（以後封かんシールと略す。）、２は封かんシールの基材であるフィルム、３は封かんシールのフィルムに形成された切れ込みを示す。図２は、実施例１を用いて封かんする箱の斜視図である。４は封かんシールを使用する箱、５は箱の端面、６は箱の側面、７は蓋、８は蓋の差し込みである。
図３は実施例１の使用状態の図である。図２に示した箱４の蓋７の差し込み８を箱内に入れて蓋７を閉じ、封かんシール１を蓋７と側面６に亘って貼り、封かんした箱４を示している。９は蓋の差し込みと側面の間にできる合わせ目である。
【００１７】
実施例１は、容器を封かんする目的で使用する，片面の少なくとも一部に粘着層を有する直径が２０ｍｍの円形の封かんシール１において、封かんシールの基材となるフィルム２の縁から中心に向かって５ｍｍ以上離れた部分であって、該フィルム２の中心部から半径５ｍｍの略円形の範囲内に該封かんシールの切断の契機となる複数の長さ１ｍｍ程度の切れ込み３が均一に形成されたフィルムを備えることを特徴とする簡単に切断できる封かんシールである。
実施例１の作用について説明する。
実施例１の図１に示した簡単に切断できる封かんシール１を図２に示した箱４に貼付したのが、図３になる。図３の箱４は、蓋７の差し込み８を箱４内に差し込んで閉じると蓋７と側面６の間に合わせ目９が形成される。図１の封かんシール１を箱４の蓋７の固定に使用すると、合わせ目９に対向する封かんシール１の部分にいずれかの切れ込み３が位置する。封かんシール１の切れ込み３は図１のように略円形の範囲に均一に形成されているので、封かんシール１を貼りつける位置や向きにあまり注意しなくとも箱の合わせ目９と対向する封かんシール１の部分に切れ込み３が位置する。
【００１８】
開封者は、合わせ目９に対向する封かんシールの部分に爪先などで局部的な力を加える。すると、合わせ目９に対向する封かんシール１の部分は、箱４の蓋７や側面６に粘着していないか、弱く粘着しているため、力を加えた近くにある封かんシールの切れ込み３に歪みが生じる。封かんシール１の基材であるフィルム２は切れ込みがあると裂けやすい特性を持つため、歪みにより切れ込み３が裂けるように伸長する。このように本発明は、ミシン目の切断とは異なり切断の契機は少なくとも一つの切れ込みがあればよい。その後、爪を合わせ目９に沿って動かすことで、さらにこの切れ込みが合わせ目９に沿って封かんシール１の縁まで裂けるように伸長し、封かんシール１が切断される。上述のように本願は、封かんシールの基材として用いられるフィルムが持つ切れ込みがあると裂けやすくなる特性を利用したものである。
【００１９】
なお、本実施例１の切れ込み３の長さは１ｍｍ程度であるが、切れ込み３の長さが短い場合やフィルム２が厚い場合は、力を加えても切れ込みが歪まないため、切断の契機にならない場合がある。この場合は、単位面積当たりの切れ込み３の数を増やし、切れ込み３の近くに別の切れ込み３が形成されるようにすれば、両方の切れ込みの間のフィルムが加わる力によって切断し、連結した大きな切れ込みを生じさせることができる。よって、切れ込みの長さ、単位面積当たりの切れ込みの本数は、フィルムの厚さを加味して決めることが望ましい。
【００２０】
実施例１の効果について説明する。
実施例１の作用で説明したように、本実施例１の封かんシール１は、道具を使うことなく爪先で封かんシール１を簡単に切断できる。
蓋７や側面６に粘着しているフィルム２に形成された切れ込み３（合わせ目９に対向する部分以外に形成された切れ込み３を指す。）は、力を加えても歪むことがないため切断の契機にはならない。また、合わせ目９はほぼ直線であまり面積を持たないため、輸送中などに合わせ目９に対向する封かんシール１に局部的な力が働くことは稀であるため、開封時以外に切断する可能性は低い。
さらに封かんシール１の縁や縁部周辺には切れ込みが形成されていないため、台紙から剥がす際や貼りつけ中などに封かんシール１の縁部に力が加わっても切れにくい。
封かんシール１の切れ込み３は、シール１の中心部から略円形の範囲内に均一に形成されているため、封かんシール１の向きや位置に気を使って箱に張り付けなくともよい。
また、本願は、封かんシール１を切断して箱を開封する方法なので、封かんシール１を剥がす必要がない。このため、粘着力の強い粘着剤を用いることができ、封かんシール１を剥がすことによる開封は困難になるため、食品や医薬品などの開封時以外は封かんが厳密に維持されなければならないものの封かんに役立つ。
【００２１】
実施例２について、図４を用い説明する。図４は、実施例２における簡単に切断できる封かんシールの平面図である。１０は実施例２の封かんシール、２aはその基材となるフィルム、３aは切れ込みを示す。
実施例２の簡単に切断できる封かんシール１０は、幅が２０ｍｍ、長さが４０ｍｍの楕円形をした封かんシールである。切れ込みは縁から５ｍｍ以上離れた中心部に幅１０ｍｍ長さ３０ｍｍの楕円形の範囲内に均一に形成されている。
実施例２の作用については実施例１と同じである。
実施例２の効果は、実施例１の効果に加え、封かんシール１０が楕円形であるため、切れ込みのある部分も楕円形にすることができるため、円形の封かんシールにくらべ、切れ込み部分が合わせ目に重なるように貼りやすくなる。
【００２２】
実施例３について、図５、図６をもとに説明する。
図５は、請求項３に対応する実施例３の重ね貼りした簡単に切断できる封かんシールの平面図である。１５は重ね貼りした簡単に切断できる封かんシール（以後、重ね貼り封かんシールと略す。）、１ｂは実施例１（図１）と同じ簡単に切断できる持つ封かんシール（以後、封かんシールと略す。）。２ｂは封かんシール１ｂの基材となるフィルム、３ｂは実施例１と同じ範囲のフィルム２ｂに形成された切れ込み、１１は上から貼るシール。１２は上から貼るシール１１の基材となるフィルム、１３は上から貼るシール１１を剥がすためのベロ、なお、ベロ１３はフィルム１２の一部でもある。ハンチングで示した１４はベロの中で粘着層がない部分を示す。
【００２３】
図６は実施例３の使用状態の図である。１６は蓋を上からはめて封かんする円筒の容器、１７は円筒の容器の筒、１８は円筒容器の蓋、９は蓋と円筒の容器の合わせ目を示す。１５が重ね貼り封かんシール、１１は上から貼るシール、１２は上から貼るシール１１の基材となるフィルム、１３はフィルム１２の一部でもあるベロ、１４はベロ１３の中で粘着層を持たない部分、点線で囲ったＡの部分はベロ１３の中で粘着層を持ち円筒の容器本体１７と蓋１８に粘着している部分である。なお、図５と図６では、説明を分かりやすくするために、封かんシール１ｂと比べ上から貼るシール１１の大きさを小さくしているが、同じ大きさでもよいし、大きくてもよい。
実施例３の重ね貼り封かんシール１５は、実施例１と同様に封かんシール１ｂの基材となるフィルム２ｂに切れ込み３ｂが形成され、切れ込み３ｂが形成されたフィルム２ｂの部分を覆うように、片面の一部に粘着層を有する直径１８ｍｍのシール１１がフィルム２ｂの上から貼ってある。また、このシール１１を剥がすための手助けとなるベロ１３が上から貼るシール１１の基材となるフィルム１２の上下２か所にあり、ベロ１３をつまみやすくするために、ベロ１３の先部分１４（図ではハンチングで示した。）では粘着層を持たない。
【００２４】
実施例３の作用と効果について述べる。
実施例１の封かんシール１では、輸送中などに封かんシールが切断してしまう可能性は低いものの否定できなかった。実施例３では、切れ込み３ｂが形成されたフィルム２ｂの上からシール１１を貼っている。このため、力が加わっても切れ込み３ｂは上から貼るシール１１に粘着しているので歪まないため、重ね貼り封かんシール１５は切断することがない。開封時は、上から貼ってあるシール１１の粘着層を持たないベロの部分１４を持ち剥がす。その後で、実施例１と同様に封かんシール１ｂの合わせ目９に対向する部分に形成された切れこみ３ｂに局部的な力を加えることで切断することができる。
実施例３の効果は、実施例１の効果に加え、上述のように切れ込みに開封時以外に力が加わっても切断しないことである。
なお、実施例３では上から貼ったシール１１のベロ１３のＡの部分にある粘着層が、封かんする容器にも貼りつく。容器が紙の場合は上から貼ったシールを剥がす際に容器の紙もはがれるため、剥がされたことがわかり悪戯防止にも効果がある。
【符号の説明】
【００２５】
１，１ｂ…簡単に切断できる封かんシール
２〜２ｂ…封かんシールの基材であるフィルム
３〜３ｂ…フィルムに形成された切れ込み
４…封かんする箱
５…箱の端面
６…箱の側面
７…箱の蓋
８…箱の蓋の差し込み
９…箱の蓋と側面の合わせ目
１０…楕円形の簡単に切断できる封かんシール  
１１…上から貼るシール
１２…上から貼るシールの基材となるフィルム
１３…上から貼るシールのベロ
１４…上から貼るシールのベロで粘着層のない部分
１５…重ね貼りした簡単に切断できる封かんシール
１６…円筒容器
１７…円筒容器の筒
１８…円筒容器の蓋
Ａ…切れ込みのないシールのベロの部分で粘着層を有する部分
【図１】
2015022193.tif 000003
【図２】
2015022193.tif 000004
【図３】
2015022193.tif 000005
【図４】
2015022193.tif 000006
【図５】
2015022193.tif 000007
【図６】
2015022193.tif 000008